(57)【要約】      （修正有）【課題】電気掃除機の吸引管の先端部が平坦な形状（円筒を軸に直角に切った形状）では無く、先端部分に切欠けがある形状であっても、その切欠け部分を密着状態で塞ぐことが出来るようにした圧縮袋用吸引バルブを提供する。【解決手段】圧縮袋用吸引バルブ１は、上面に円環状の設置部１２が形成され、設置部に電気掃除機の吸引管の先端部を押し当てて密着状態とするものであり、設置部の周縁外側に、隣接して封止舌片１３が形成されている。封止舌片は、先端部に切欠け部のある吸引管の電気掃除機を用いる際、切欠け部を封止して空気の漏れを防止する。【選択図】図２
0003234998.tif 000002
【実用新案登録請求の範囲】
【請求項１】
圧縮袋内の空気を排出するための排出孔と、該排出孔の周縁外側に円環状に形成され電気
掃除機の吸引管の先端部を密着させる設置部とを有し、該設置部の外側周縁の一部に隣接
して、電気掃除機の吸引管の先端部の切欠け部を封止することが出来る封止舌片が形成さ
れていることを特徴とする圧縮袋用吸引バルブ。
【考案の詳細な説明】
【技術分野】
【０００１】
本考案は、布団圧縮袋等の圧縮袋に用いるバルブに関するもので、さらに詳しくは、電
気掃除機の吸引管の先端部分に切欠けがあったとしても、吸引漏れが無いようにした圧縮
袋用バルブに関するものである。
【背景技術】
【０００２】
近年、布団等の寝具類を収納保管する際に、布団圧縮袋に寝具類を収納し、電気掃除機
により布団圧縮袋内の空気を吸引するとともに、寝具類の空気も吸引することにより、全
体的な嵩を減少させてコンパクトに収納保管することが行われている（特許文献１参照）
。
【０００３】
従来、このような布団圧縮袋の空気を電気掃除機で吸引するには、布団圧縮袋に吸引バ
ルブを設け、この吸引バルブの上部端面に、電気掃除機の吸引管の先端部を押圧して気密
状態を維持しつつ空気を吸引していた。
【０００４】
しかしながら、近年、海外メーカーの電気掃除機が販売されており、それらの中の吸引
管には、吸引管の先端部において略半円状の切欠けがあるものがあった。このような電気
掃除機においては、吸引管の先端部を吸引バルブの上部端面に押圧したとしても、吸引管
の先端部全面が吸引バルブの上部端面に密着することが無く、略半円状の切欠け部におい
て気密性を確保出来ないものであった。したがって、このような電気掃除機においては、
切欠け部からの空気の流入を防止することが必要であった。
【０００５】
そこで、従来、弁本体と、該弁本体を被覆する弁蓋、弁本体の中央凹部にセットされて
エアー吸込み孔を開閉することが出来る弁からなり、上記弁蓋に掃除機の吸引ノズル先端
部が挿入されるシール袋を取り付けたことを特徴とする布団圧縮袋が提案されている（特
許文献２参照）。
【先行技術文献】
【特許文献】
【０００６】
【特許文献１】特開２００９−２３６９６号公報
【特許文献２】特開２０１０−８３５０５号公報
【考案の概要】
【考案が解決しようとする課題】
【０００７】
しかしながら、上記布団圧縮袋においては、柔軟なシール袋内に吸引管の先端部を挿入
し、シール袋を吸引管の先端部に巻き付け、その状態を維持するために、手で把持するこ
とが必要であり、吸引作業が面倒なものであった。
【０００８】
本考案は、以上の問題点を解決するためになされたもので、吸引管の先端部が平坦な形
状（円筒を軸に直角に切った形状）では無く、先端部分に切欠け部がある形状であっても
、極めて簡単に、その切欠け部を封止できるようにした圧縮袋用吸引バルブを提供するこ
とを目的とする。
【課題を解決するための手段】
【０００９】
請求項１記載の圧縮袋用吸引バルブは、圧縮袋内の空気を排出するための排出孔と、該
排出孔の周縁外側に円環状に形成され電気掃除機の吸引管の先端部を密着させる設置部と
を有し、該設置部の外側周縁の一部に隣接して、電気掃除機の吸引管の先端部の切欠け部
を封止することが出来る封止舌片が形成されていることを特徴として構成されている。
【００１０】
請求項２記載の圧縮袋用吸引バルブは、封止舌片が、略水平方向から略垂直方向に揺動
自在に形成されていることを特徴として構成されている。
【００１１】
請求項３記載の圧縮袋用吸引バルブは、封止舌片が、柔軟な材質で形成されていること
を特徴として構成されている。
【考案の効果】
【００１２】
請求項１記載の圧縮袋用吸引バルブにおいては、電気掃除機の吸引管の先端部を密着さ
せる設置部の外側周縁の一部に隣接して封止舌片が形成されており、この封止舌片は、電
気掃除機の吸引管の先端部の切欠け部を封止出来るようになっている。したがって、吸引
管の先端部を設置部に密着させる際、切欠け部を封止舌片に対応するように配置させれば
、封止舌片で切欠け部を封止することが出来る。その結果、電気掃除機による吸引を開始
しても、吸引管に外部から空気が入り込むことが無く、圧縮袋内の空気のみを確実に吸引
することが出来る。
【００１３】
請求項２記載の圧縮袋用吸引バルブにおいては、封止舌片が、略水平方向から略垂直方
向に揺動自在に形成されているので、切欠け部の無い通常の吸引管を用いる場合、封止舌
片を水平方向にすることにより、封止舌片が邪魔となることはないので、通常通り、吸引
管の先端部を設置部に密着させることにより、吸引作業を行うことが出来る。さらに、布
団等を圧縮収容した圧縮袋を積み重ねて収納する際も、封止舌片が突出することが無いの
で好ましい。
【００１４】
請求項３記載の圧縮袋用吸引バルブにおいては、封止舌片が、柔軟な材質で形成されて
いるので、封止舌片を吸引管に密着させて切欠け部を封止する際、極めて簡単かつ確実に
密着させることが出来る。また、電気掃除機による吸引状態になれば、封止舌片は吸引さ
れることとなるので、封止舌片は吸引管に密着固定されることとなり、特に手で押さえて
おく必要は無いものである。
【図面の簡単な説明】
【００１５】
【図１】本考案による圧縮袋用吸引バルブの一実施形態の平面図
【図２】本考案による圧縮袋用吸引バルブの一実施形態の斜視図
【図３】本考案による圧縮袋用吸引バルブを用いる電気掃除器の吸引管の先端部分を示す斜視図
【図４】本考案による圧縮袋用吸引バルブの一実施形態の使用状態を示す斜視図
【図５】本考案による圧縮袋用吸引バルブの他の実施形態の斜視図
【図６】本考案による圧縮袋用吸引バルブの他の実施形態の使用状態を示す斜視図
【考案を実施するための形態】
【００１６】
本考案による圧縮袋用吸引バルブは、圧縮袋内の空気を排出するための排出孔と、該排
出孔の周縁外側に円環状に形成され電気掃除機の吸引管の先端部を密着させる設置部とを
有し、該設置部の外側周縁の一部に隣接して、電気掃除機の吸引管の先端部の切欠け部を
封止することが出来る封止舌片が形成されており、一部の電気掃除機に見られる吸引管の
先端部に切欠け部が存在するタイプの電気掃除機に対応できるようにしたものである。
【００１７】
封止舌片は、電気掃除機の吸引管の先端部の切欠け部を封止出来るようにしたもので、
切欠け部を封止出来る形状であれば特に限定されず、切欠け部の周囲の吸引管の外周に密
着する態様、切欠け部に嵌合する態様等を採用することが出来る。封止舌片の材質は特に
限定されないが、切欠け部の周囲の吸引管の外周に密着する態様の場合、柔軟な材質で形
成されることが好ましい。柔軟な材質で形成することにより、封止舌片を吸引管に密着さ
せて切欠け部を封止する際、極めて簡単かつ確実に密着させることが出来る。また、電気
掃除機による吸引状態になれば、封止舌片は吸引されることとなるので、封止舌片は吸引
管に密着固定されることとなり、特に手で押さえておく必要は無い。
【００１８】
また、封止舌片を、略水平方向から略垂直方向に揺動自在に形成することが出来、揺動
自在とすることにより、布団等を圧縮収容した圧縮袋を積み重ねて収納する際、封止舌片
が突出して邪魔になることが無い。
【００１９】
本考案による圧縮袋用吸引バルブの一実施形態を図１〜図４を参照して説明する。図１
は圧縮袋用吸引バルブの平面図、図２は圧縮袋用吸引バルブの斜視図、図３は電気掃除機
の吸引管の先端部の斜視図、図４は圧縮袋用吸引バルブの使用状態を示す斜視図である。
【００２０】
これらの図において、圧縮袋用吸引バルブ１の上面には、圧縮袋内の空気を吸引排気す
るための排気孔１１が形成されており、この排気孔１１の周縁部は、円環状の設置部１２
となっており、この設置部１２に電気掃除機の吸引管２の先端部を押し当てて密着状態と
するものである。設置部１２の周縁外側の一部に隣接して、封止舌片１３が形成されてお
り、この封止舌片１３は、先端部に切欠け部２３のある吸引管２の電気掃除機を用いる際
、切欠け部を封止して空気の漏れを防止するものである。
【００２１】
この封止舌片１３は、その基端部１３ａが屈曲自在に形成されており、したがって、封
止舌片１３は、基端１３ａを中心として揺動自在となっている。すなわち、封止舌片１３
は、略水平方向と略垂直方向との間を揺動できるようになっている。
【００２２】
封止舌片１３の外側には、一段低くなった収納凹部１４が形成されている。すなわち、
布団等を収容した圧縮袋を積み重ねて収納する際、封止舌片１３を収納凹部１４に収納す
ることにより、封止舌片１３が上方へ突出して邪魔にならないようになっている。また、
収納凹部１４には固定凹部１５が形成されるとともに、封止舌片１３の対応箇所に固定凸
部１６が形成されており、固定凸部１６を固定凹部１５に嵌合させることにより、封止舌
片１３を収納凹部１４に固定できるようになっている。
【００２３】
次に、以上のような圧縮袋用吸引バルブ１に電気掃除機の吸引管の先端部を押圧して吸
引する方法について説明する。電気掃除機の吸引管２は、図３に示すように、円筒状の外
筒２１と、外筒２１の内部においてゴミの搬送路である内筒２２とから形成され、内筒２
２の先端部の一部は、略円弧状の切欠け部２３が形成されている。本願考案においては、
この切欠け部２３を封止して、圧縮袋内の空気を吸引できるようにするものである。
【００２４】
まず、封止舌片１３を水平方向になるように配置し、この状態で吸引管２を上方から設
置部１２に押圧密着させるが、その際、切欠け部２３が封止舌片１３と対向するようにす
る。そして、封止舌片１３を上方へ揺動させて吸引管２に密着させる。すると、図４に示
すように、封止舌片１３は切欠け部２３を覆った状態で吸引管２に密着することになるの
で、切欠け部２３が封止された状態となる。したがって、電気掃除機の吸引管２を、気密
状態で圧縮袋用吸引バルブ１に接合することが出来、圧縮袋内の空気を確実に吸引排出す
ることが出来る。
【００２５】
本考案による圧縮袋用吸引バルブの他の実施形態を図５及び図６を参照して説明する。
図５は圧縮袋用吸引バルブの斜視図、図６は圧縮袋用吸引バルブの使用状態を示す斜視図
である。
【００２６】
これらの図に示す圧縮袋用吸引バルブ３は、前記実施態様と同様に、圧縮袋用吸引バル
ブ３の上面には、圧縮袋内の空気を吸引排気するための排気孔３１が形成されており、こ
の排気孔３１の周縁部は、円環状の設置部３２となっており、この設置部３２に電気掃除
機の吸引管の先端部を押し当てて密着状態とするものである。
【００２７】
そして、設置部３２上の一部に封止舌片３３が形成されており、この封止舌片３３は、
電気掃除機の吸引管２の切欠け部２３の形状と略同一な形状に形成され、封止舌片３３が
切欠け部２３に嵌合するようになっている。したがって、図６に示すように、吸引管２を
、切欠け部２３が封止舌片３３に被嵌するように設置部３２に押圧密着させることにより
、封止舌片３３により切欠け部２３を封止することが出来る。
【符号の説明】
【００２８】
１  ：圧縮袋用吸引バルブ
１１：排出孔
１２：設置部
１３：封止舌片
１４：収納凹部
２  ：電気掃除機の吸引管
２３：切欠け部
３  ：圧縮袋用吸引バルブ
３１：排出孔
３２：設置部
３３：封止舌片
【図１】
0003234998.tif 000003
【図２】
0003234998.tif 000004
【図３】
0003234998.tif 000005
【図４】
0003234998.tif 000006
【図５】
0003234998.tif 000007
【図６】
0003234998.tif 000008